(57)【要約】  【課題】通行規制態様に応じて形態を変更できるユーザーフレンドリーなゲート装置を提供する。  【手段】ゲート装置１は、規制体（ストッパー）７を有するセンターゲートユニット３とその前後に配置されるフロントユニット４，５とに分離構成されている。フロントユニット４，５はゲート装置１にボルト（ビス）で固定されている。センターゲートユニット３のみを使用する態様、センターゲートユニット３と一方のフロントユニット４，５とを使用する態様、センターゲートユニット３と前後２つのフロントユニット４，５を使用する態様、の三態様を選択できる。例えば、一方通行専用で許可者のみ通す場合はセンターゲートユニット３＋一方のフロントユニット４，５の態様を使用し、不特定人が通る一方通行順路に設ける場合はセンターゲートユニット３のみを使用する。【選択図】図３
2010198244.tif 000002
【特許請求の範囲】
【請求項１】
人の通路の脇に配置される本体部と、前記通路を横切る通行阻止姿勢と通路から後退した通行許可姿勢とに姿勢変更自在な状態で前記本体部に取り付けられた規制体とを有しており、前記本体部は、一般成人の身長よりも低い高さで、かつ、人の通行方向である前後方向から見た正面視と通行方向を横切る左右方向から見た側面視とのいずれにおいても上下に細長い形態を成している、
センターゲートユニット。
【請求項２】
前記センターゲートユニットには、その手前側又は後ろ側若しくは前後両側に配置されてセンターゲートユニットよりも長い前後長さを有するフロントユニットを固定可能になっている、
請求項１又は２に記載したセンターゲートユニット。
【請求項３】
人の通行を規制するゲート装置であって、
人の通路を横切る通行阻止姿勢と通路から後退した通行許可姿勢とに姿勢変更自在な規制体を本体部に取り付け成るセンターゲートユニットと、前記センターゲートユニットを挟んだ前後片側又は前後両側に配置されるフロントユニットとを有しており、
前記センターゲートユニットとフロントユニットとは、一般成人の身長よりも低い高さであると共に、互いに別体に構成されていてフロントユニットはセンターゲートユニットに固定・分離可能であり、かつ、前記フロントユニットの前後長さよりもセンターゲートユニットの前後長さが短くなっている、
ゲート装置。
【請求項４】
前記規制体は水平旋回によって通行阻止姿勢と通行許可姿勢とに変わるように前記本体部に取り付けられており、前記規制体は通行許可姿勢のとき本体部の外側にはみ出ている、
請求項１又は２に記載したセンターゲートユニット若しくは請求項３に記載したゲート装置。
【請求項５】
前記センターゲートユニットの前面と後面とはそれぞれ縦フレームで構成されており、この縦フレームに前記フロントユニットを締結可能になっている、
請求項１〜４のうちのいずれかに記載したセンターゲートユニット又はゲート装置。
【発明の詳細な説明】
【技術分野】
【０００１】
本願発明は、人の通行を阻止したり許容したりする規制するゲート装置及びセンターゲートユニットに関するものである。ここに言うセンターゲートユニットは、それ自体で独立してゲート装置を構成し得ると共に他のユニットと組合わさることによってもゲート装置を構成し得るものである。
【背景技術】
【０００２】
人の通行を規制するゲート装置は、規制体（ストッパー）で通路を遮ったり開放したりすることで人の通行を阻止したり許容したりしており、建物に組み込まれたタイプや床に固定又は載置する後付けタイプなど、外観や構造など様々である。そして、床に載置したり固定したりする後付けタイプのゲート装置は、例えば典型例としての駅の自動改札機に見られるように、一般成人の腰程度の高さで全体として前後方向に細長い本体部を有しており、本体部に規制体を水平旋回自在に取り付けている（例えば特許文献１参照）。つまり、従来のゲート装置は、多数の部材からなるものの全体としては単一構造になっている。
【先行技術文献】
【特許文献】
【０００３】
【特許文献１】特開２００８−２３４０２３号公報
【発明の概要】
【発明が解決しようとする課題】
【０００４】
ゲート装置の本体部が前後方向（人が通行する方向）に細長い形態になっているのは、主として、通行の許否を確認するための認識装置（カードリーダーやカードスキャナなど）と規制体との間隔寸法がある程度必要であることに起因していると言える。
【０００５】
すなわち、人は歩きながらカード類を認識装置にかざしたり挿通したりして本体部の横を通行するが、その場合、人が認識装置を通過した状態で規制体がまだ旋回前であっても当該記載体に人の身体が当たってはならず、そこで、認識装置と規制体の間にはある程度の前後寸法を確保せねばならず、その結果、平面視で前後に細長い形態になっている。また、いわゆる共連れ検知等のセキュリティ向上の意味合いもある。そして、ゲート装置は一般にいずれの方向からも通行できるようになっているため、本体部は前後対称の形態になっていて前後長さはより一層長くなることになる。
【０００６】
さて、人の通行を規制する態様はまちまちであり、一方通行の場合もあるし、認識装置がゲート装置とは別に存在する場合もある。また、ゲート装置は存在しても認識装置が存在しない場合もある。認識操作が存在しない例としては、誰でも通行できるが順路が一方通行になっている場合、特定の人だけの入場を予定していることを視覚的に認識させるためにゲート装置を設けている場合、或いは、通行者の数をカウントするためにゲート装置を設けている場合など、多岐にわたる。
【０００７】
このように人の通行を規制（或いは制御）する態様には様々の態様が見られ、従って、ゲート装置は必ずしも前後方向に細長い形態である必要がない場合もあるが、従来は全体として一体構造でかつ前後方向に細長い形態であったため、大きさと機能とがユーザーの希望に対して過剰である場合が有り得ると懸念される。また、ゲート装置を設置したいがスペースの余裕がないために断念しているケースも有り得ると言える。更に、従来のゲート装置は全体として一体構造であるためデザインの変更はできず、この点でもユーザーの潜在的オプションに対応できていなかったと懸念される。
【０００８】
本願発明はこのような現状に鑑み成されたもので、ユーザーフレンドリー性の高いゲート装置を提供せんとするものである。
【課題を解決するための手段】
【０００９】
本願発明はセンターゲートユニットとゲート装置とに関し、第１〜第５の発明を含んでいる。第１の発明（請求項１の発明）はセンターゲートユニットに係るもので、この発明は、人の通路の脇に配置される本体部と、前記通路を横切る通行阻止姿勢と通路から後退した通行許可姿勢とに姿勢変更自在な状態で前記本体部に取り付けられた規制体とを有しており、前記本体部は、人の身長よりも低い高さで、かつ、人の通行方向である前後方向から見た正面視と通行方向を横切る左右方向から見た側面視とのいずれにおいても上下に細長い形態を成している。
【００１０】
第２の発明（請求項２の発明）は第１の発明又は第２の発明の展開例であり、この発明は、前記センターゲートユニットには、その手前側又は後ろ側若しくは前後両側に配置されてセンターゲートユニットよりも長い前後長さを有するフロントユニットを固定可能になっている。
【００１１】
第３の発明（請求項３の発明）はユニット方式のゲート装置に係るもので、この発明は、人の通路を横切る通行阻止姿勢と通路から後退した通行許可姿勢とに姿勢変更自在な規制体を本体部に取り付け成るセンターゲートユニットと、前記センターゲートユニットを挟んだ前後片側又は前後両側に配置されるフロントユニットとを有しており、前記センターゲートユニットとフロントユニットとは、一般成人の身長よりも低い高さであると共に、互いに別体に構成されていてフロントユニットはセンターゲートユニットに固定・分離可能であり、かつ、前記フロントユニットの前後長さよりもセンターゲートユニットの前後長さが短くなっている。
【００１２】
第４の発明（請求項４）の発明はセンターゲートユニット又はゲート装置の好適な展開例であり、この発明では、前記規制体は水平旋回によって通行阻止姿勢と通行許可姿勢とに変わるように前記本体部に取り付けられており、前記規制体は通行許可姿勢のとき本体部の外側にはみ出ている。
【００１３】
第５の発明（請求項５の発明）はット５の更に既述したセンターゲートユニット又はゲート装置の展開例であり、この発明では、前記センターゲートユニットの前面と後面とはそれぞれ縦フレームで構成されており、この縦フレームに前記フロントユニットを締結可能になっている。
【発明の効果】
【００１４】
既述のように、識別装置をゲート装置とは別の場所に設けたり識別装置が不要である場合は、ゲート装置の機能としては規制体の動きだけで足りると言える。そして第１の発明に係るセンターゲートユニットはこのような場合に好適であり、センターゲートユニットはポール状の形態を成しているため、従来に比べて設置スペースを格段に低減できると共に、コストも抑制できる（センターゲートユニットに識別装置を設けることは可能である。）。
【００１５】
第２の発明は第３の発明とは実質的には同じであり、このようにゲート装置を請求項とフロントユニットとに分離構成すくことにより、センターゲートユニットのみを使用したりフロントユニットを固定して従来のように前後方向に細長い形態と成したりすることができる。
【００１６】
つまり、センターゲートユニットをメインの部材として、これのみを使用したりフロントユニットを固定して使用したりすることができるのであり、これにより、ユーザーの要望に的確に応えることができる。また、センターゲートユニットとフロントユニットとのうちいずれか一方又は両方について、形態や色彩等が相違するものを複数種類用意しておくことにより、多彩なデザインのゲート装置を展開することが可能になる。この点も本願発明の利点の一つである。更に、センターゲートユニットとフロントユニットを連結することで従来品と同様のものを構成できるが、各ユニットを分離した状態で搬送・保管できるため、搬送や保管に際して嵩張らずに取り扱いが容易になる。この点も本願発明の利点の一つである。
【００１７】
センターゲートユニットを構成する本体部は、製造コストや設置スペースの点からできるだけコンパクトであるのが好ましい。この点、第４の発明を採用すると本体部はかなりスリムになるため、コスト抑制や単独設置する場合の設置スペース抑制に貢献できる。
【００１８】
センターゲートユニットやフロントユニットの構造や固定態様は多種多様であるが、第５の発明のようにセンターゲートユニットに縦フレームを設けてこれにフロントユニットを固定する構造を採用すると、縦フレームにセンターゲートユニットの強度メンバーとしての機能とフロントユニット固定機能とを併有させることができるため、簡単な構造でありながらフロントユニットとをセンターゲートユニットとを強固に固定することができる利点である。
【図面の簡単な説明】
【００１９】
【図１】第１実施形態に係るゲート装置の全体図で、（Ａ）は平面図、（Ｂ）は側面図である。
【図２】（Ａ）は図１（Ａ）のIIA-IIA 視正面図、（Ｂ）は図１（Ａ）のIIB IIB 視での正面図である。
【図３】第１実施形態の分離平面図である。
【図４】第１実施形態の分離側面図である。
【図５】（Ａ）は図４のＡ−Ａ視断面図、（Ｂ）は図４のＢ−Ｂ視断面図、（Ｃ）は図４のＣ−Ｃ視断面図である。
【図６】第１フロントユニットを示す図で、（Ａ）は平面図、（Ｂ）は正面図、（Ｃ）は側面図である。
【図７】（Ａ）はセンターゲートユニットの概略側断面図、（Ｂ）はセンターゲートユニットの概略正面断面である。
【図８】（Ａ）は図７（Ａ）のＡ−Ａ視断面図、（Ｂ）は図７（Ａ）のＢ−Ｂ視断面図、（Ｃ）は図７（Ａ）のＣ−Ｃ視断面図である。
【図９】（Ｄ）は図７（Ａ）のＤ−Ｄ視断面図、（Ｅ）は図７（Ａ）のＥ−Ｅ視断面図である。
【図１０】第２実施形態の平面図である。
【図１１】第３実施形態の平面図である。
【図１２】第４実施形態の平面図である。
【図１３】第５実施形態の平面図である。
【発明を実施するための形態】
【００２０】
次に、本願発明の実施形態を図面に基づいて説明する。図１〜図９では第１実施形態を示している。以下の説明（及び請求項の発明）では方向を特定するための前後・左右の文言を使用するが、前後方向は人の通路の延びる方向（人が通行する方向）を言い、左右方向は平面視で通路を横切る方向を言う。正面視は前後方向から見た状態を言い、側面視は左右方向から見た状態をいう。なお、前と後ろ、左と右との区別は相対的なものであって区別する実益はない。
【００２１】
(1).全体の概要
まず、全体の概要を説明する。本実施形態では左右２つのゲート装置１で規制通路２が構成されており、図３及び図４から明瞭に把握できるように、各ゲート装置１は、前後中間部を構成するセンターゲートユニット３と、センターゲートユニット３を挟んで前後に配置された第１フロントユニット４及び第２フロントユニット５とで構成されている。左右ゲート装置１は床部材６で連結されている。ゲート装置１は、全体として一般成人の腰程度の高さになっている。
【００２２】
センターゲートユニット３の前後長さ（巾寸法）はフロントユニット４，５の前後長さの半分以下になっている。また、センターゲートユニット３と前後フロントユニット４，５とからなるゲート装置１の全体としては、高さよりも前後長さが大きくなっている。なお、１つのゲート装置１のみで通路を構成することも可能である。また、多数のゲート装置１を並列して多数の規制通路２を形成することも可能である。
【００２３】
床部材６は前後両端部が傾斜した床板６ａと、傾斜部を除いた位置において床板６ａを支持するスペーサ６ｂとで構成されている。敢えて述べるまでもないが、床部材６が無くてもよいことは言うまでもない。
【００２４】
センターゲートユニット３は平面視で略楕円形又は小判型に平面形状であり、左右厚さが前後巾寸法よりも小さく、かつ、高さは前後巾寸法の数倍はある。従って、センターゲートユニット３は全体としてポール状（柱状）の形態を成している。センターゲートユニット３のうち規制通路２に向いた側には、規制通路２を横切る通行阻止姿勢と規制通路２を開放した通行許容姿勢とに水平旋回自在な板状（フラップ状）の規制体（フラッパ）７が取り付けられている。１つのセンターゲートユニット３に２つの規制体７を設けることも可能である。また、ゲート装置１を多連に配置する場合は、各ゲート装置１のセンターゲートユニット３にそれぞれ規制体７を取り付けるけことになる。
【００２５】
第１フロントユニット４と第２フロントユニット５とは基本的には同一物であり、相違点は、識別ユニットが取り付けられた制御パネル８の有無だけである。ゲート装置１を多連に配置して両方から通行できる場合は、第１フロントユニット４と第２フロントユニット５とにそれぞれ制御パネル８を取り付けることになる。つまり、フロントユニットは制御パネル８を有する第１フロントパネル４だけで構成される場合もあるし、制御パネル８がない第２フロントパネル５が併用されるれる場合もある。
【００２６】
(2).フロントユニット
次に、フロントユニット４，５の構造を説明する。例えば図４及び図５に示すように、フロントユニット４，５は、その前部と上部とを構成する側面視逆Ｌ形のメインフレーム９と下部を構成する下フレーム１０とで主たる骨組みが構成されており、メインフレーム９と下フレーム１０とで囲われた空間に化粧パネル１１を配置している。メインフレーム９の上部はセンターゲートユニット３に向けて高さが高くなるように緩い角度で傾斜している。このように傾斜させているののはカード類を当てやすくずくため（或いはかざし易くするため）であるが、当然ながら水平状であってもよい。
【００２７】
図５に示すように、メインフレーム９は外向きに開口した略Ｃ字状の断面形状であり、その外面に、主として化粧を目的としてフロントパネル１２がビス止め等で取り付けられている。フロントパネル１２にはその上部と鉛直部とに跨がって延びる大きな穴が空いており、この穴に制御パネル８を嵌め込み装着している。制御パネルのうち鉛直部には通過方向を示す表示部１３を設けており、傾斜した上部にはカード類のデータを検知する読み取り部１４を設けている。
【００２８】
フロントパネル１２は化粧（美粧）を主目的としたものであり、陶板状のものや樹脂板、ステンレス板、木製板など各種のものを使用できる。フロントパネルはタッチパネル方式になっているので一般に樹脂製が多いが、金属板などの他の素材を使用することも可能である。制御パネル８を使用せずに、フロントパネル１２に表示部１３や読取部１４を直接に取り付けることも可能である。但し、本実施形態のように制御パネル８を使用すると、制御パネル８はユニット方式になっているため、組み立てやメンテナンスが楽になる利点がある。
【００２９】
フロントパネル１２の上部先端は平面視で半円状に形態を成している。他方、図１や図３に明示するように、下フレーム１０の先端はフロントユニット４，５に嵌まるように平面視凹状に凹んでいる。メインフレーム１２と下フレーム１０との左右巾寸法は、センターゲートユニット３の左右巾寸法より僅かに小さい寸法に設定している。
【００３０】
化粧パネル１１は、例えばポリカーボネート樹脂のような樹脂板を使用できる。透明、半透明、不透明のいずれも採用できる。樹脂板の他に金属板やガラス板、木製板などの各種の素材のものを使用できる。化粧パネル１１の取り付けには図５（Ｂ）に示すコ字形のホルダー１５が使用されている。ホルダー１５はフロントパネル１２と下フレーム１０とにビスで固定されている。本実施形態のようにホルダー１５を使用すると、化粧パネル１１はホルダー１５の群に差し込むだけでよいため、取り付けが楽になる利点である。
【００３１】
化粧パネル１１の取り付け手段としては、ブラケットを介して固定したり、メインフレーム９及び下フレーム１０に形成した溝に差し込むなど、様々の手段を採用できる。図５（Ｂ）に二点鎖線で示すように、表裏の化粧パネル１１を設けてこれらがメインフレーム９及び下フレーム１０の側面と略同じ面を成すように設定することも可能である。この場合は、例えば人が提げた鞄類がセンターゲートユニット３に衝突することをより的確に防止できる。なお、センターゲートユニット３は平面視で楕円形に形成されているため、人の通行によって鞄のような物品が当たっても鞄類は規制通路２に戻されるようにガイドされる。このため、センターゲートユニット３が大きなダメージを受けたり、人がつんのめったりすることを防止又は抑制できると言える。
【００３２】
メインフレーム９の上部と下フレーム１０とには、前後方向に延びる上下の連結部材１７，１８が溶接やねじ止めで固定されている。上下の連結部材１７，１８は断面下向き開口コ字形でかつメインフレーム９及び下フレーム１０よりも小さい左右横巾になっている。上下連結部材１７，１８の前端にはエンドプレート１９を溶接で固着しており、エントプレート１９をセンターゲートユニット３に固定している。
【００３３】
例えば図１，３に示すように、上連結部材１７はメインフレーム９の前端から突出しており、従って、上連結部材１７は部分的に露出している。他方、下フレーム１０の先端はセンターゲートユニット３に嵌まるように凹部１０ａが形成されており、下連結部材１０の先端は下フレーム１０における凹部１０ａの底に位置している。
【００３４】
(3).センターゲートユニット
次に、主として図７〜９に基づいてセンターゲートユニット３を説明する。図８，図９に示すように、センターゲートユニット３は前後一対の縦フレーム（支柱）２０を有している。前後縦フレーム２０は内側に向いてコ字形の形態であり、図８（Ａ）及び図９（Ｅ）に示すように、両フロントユニット４，５における連結部材１７，１８のエンドプレート１９がボルト（ビス）２１で縦フレーム２０に締結（固定）されている。センターゲートユニット３の上端には、化粧のためのアッパープレート２２を取り付けている。アッパープレート２２はフロントプレート１２と同様にステンレス板や大理石調の石質系の、樹脂板など各種のせのを使用できる。
【００３５】
縦フレーム２０には、センターゲートユニット３の外観を構成する外面カバー２３が左右両側から重なっている。外面カバー２３は左右半割り状になっていてその端部が縦フレーム２０の左右側面に重なっている。従って、外面カバー２３の群・と縦フレーム２０とで楕円状の外観が構成されている。規制体７を設けている部分は凹んだ凹所２４になっている。例えば図１（Ｂ）に明示するように、規制体７を設けた箇所では、外面カバー２３は、凹所２４の上に位置したものと凹所２４の下に位置したものとに２分割されており、規制体７と反対側の部分では上下に一連に延びている。凹所２４はインナーカバー２５で囲われている。
【００３６】
図１（Ｂ）や図２（Ｂ）に示すように、外面カバー２３は、規制体７の上方の箇所では上下３つに模様分けしており、また、規制体７の下方では上下２つに模様分けしている。模様分けは塗装によって行っているが、外面カバー２３を異種素材で構成することによっても実現できる。もちろん、模様分けせずに一連の外観と成すことも可能である。
【００３７】
図７に示すように、凹所２４を挟んだ上下に第１ブラケット２６と第２ブラケット２７とが配置されている。両ブラケット２６，２７は縦フレーム２０に固定されており、両ブラケット２６，２７で規制軸２８を回転可能に支持し、規制軸２８に規制体７を固定している。第２ブラケット２７には主軸を下向きにした状態でモータ２９が固定されており、モータ２９の回転はギア３０を介して規制軸２８に伝えられる。モータ２９はインナーカバー２５と一方の外面カバー２３との間の空間に配置されており、また、ギア３０はインナーカバー２５の下方に配置されている。
【００３８】
第１ブラケット２６の上面には、規制体７が回動するにおいてその終端部において動きを緩衝すると共に正確に位置決めするためのカム式アブソーバ装置３１が配置されている。第１ブラケット２６の上方には第３ブラケット３２が配置されている。第３ブラケット３２は強度メンバー（骨組み）の役割を果たしており、縦フレーム２０にビスで固定されている。第２ブラケット２７の下方には第４ブラケット３３が配置されている。第４ブラケット３３は上下に長く延びる形態を成しており、左右両端部でかつ上下の部分が縦フレーム２０に固定されている。
【００３９】
そして、この第４ブラケット３３に、変圧器やリレー、制御装置などの電気・電子装置類３４が取り付けられている。このように、センターゲートユニット３の内部空間に制御のための電気・電子装置類３４が配置されていることにより、センターゲートユニット３はそれ自体としてして完結した機能を有している。縦フレーム２０の下端にはＬ形の受け部材３５が溶接等で固定されており、受け部材３５に下フレーム１０の連結部材１８がボルト３６で締結されている。図７（Ａ）に示すように、受け部材３５にはセンターゲートユニット３の内部と下フレーム１０の内部とに連通する配線穴３７か空いており、制御パネル８に設けた部材のケーブルは配線穴３７を介して電気・電子部品類・に接続されている。
【００４０】
(3).まとめ
本実施形態のゲート装置１の機能は従来と同様であり、通行する人はカードを識別装置に接触させるか又はかざす。カードが適正である場合は、モータ２９が駆動されて規制体７は通行阻止姿勢から通行許可姿勢に回動し、人が通過すると規制体７は通行阻止姿勢に戻る。このため、ゲート装置１には通行する人を検知するセンサ（図示せず）を設けている。
【００４１】
カードが不正であったり接触状態が悪くて読取できなっかった場合は、制御パネルに赤等の注意表示が点滅したり、音声で注意が発せられたりする。２人の人が前後に重なった状態で通行する「共連れ」の不正通行があるが、ゲート装置１には共連れを検知するためのセンサも設けている。
【００４２】
本実施形態では、フロントユニット４，５はセンターゲートユニット３とは別のユニットになっているため、化粧パネル１１をホルダー１５への差し込みによって取り付けできるのであり、しかも、フロントユニット４，５をセンターゲートユニット３に固定すると、化粧パネル１１はホルダー１５の群から抜き外しできないため、ビス止め等の固定手段を講じる必要もない。この点は本実施形態の利点である。
【００４３】
(4).他の実施形態
図１０以下では他の実施形態（使用態様）を示している。このうち図１０に示す第２実施形態では、規制体７を有する２つのゲート装置１が、規制体７が相対抗するようにして配置している。従って、この実施形態では規制通路は第１実施形態よりは広くなっている。車椅子の人が通る通路や荷物台車が通る通路の場合に好適である。この図１０に示すように、１つのゲート装置１に２つの規制体７を設けることも可能である。
【００４４】
図１１に示す第３実施形態では、２つのセンターゲートユニット３の手前側のみにフロントユニット４，５を固定している。規制通路２が一方通行である場合にはこのようにセンターゲートユニット３の手前側だけにフロントユニット４，５を設けたらよい。
【００４５】
図１２に示す第４実施形態では、センターゲートユニット３のみを配置してゲート装置と成している。この実施形態では、建物の壁３９にカードリーダ等の認識装置４０を配置しており、認識装置４０が通行許可を検知すると規制体７は回動する。
【００４６】
ゲート装置１が誰でも通行できる一方通行路に配置するものである場合は、ゲート装置１を挟んだ前後手前に人を検知するセンサ４１を配置しておいたらよい。この場合は、人が適正な方向に通行している場合はセンサ４１の検知によって規制体７が回動し、人が逆行していてこれをセンサが検知したら、規制体７は回動せず、センターゲートユニット３又は壁に設けた警告手段で順路を誤っている旨が通知される。
【００４７】
センターゲートユニット３のみを配置する場合においても、センターゲートユニット３と一方のフロントユニット４，５のみの組み合わせから成るゲート装置１を配置する場合も、図１０のように一対のセンターゲートユニット３にそれぞれ規制体７を設けることが可能である。
【００４８】
図１３に示す実施形態では、上連結部材１７を金属厚板よりなるスペーサ状の形態となして、これにセンターゲートユニット４の縦フレーム２０とフロントユニット４，５におけるメインフレーム９の端板９ａとをビス４３で共締めしている。この形態では上連結部材１７はスリムな形態になるため、外観がスッキリする。
【００４９】
(5).その他
本願発明は上記の実施形態の他にも様々に具体化できる。例えば各ユニットの外観はデザイン等の要請によって様々に変更できる。例えば、センターゲートユニットは、平面視長方形で細長い形態と成したり、円柱形（或いは円筒形）となすることができる。センターゲートユニットの前後にフロントユニットを配置する場合、前後のフロントユニットの前後長さを異ならせることも可能である。
【符号の説明】
【００５０】
１  ゲート装置
２  規制通路
３  センターゲートユニット
４，５  フロントユニット
７  規制体
８  制御パネル
９  メインフレーム
１０  下フレーム
１１  化粧パネル
１３  表示部
１４  読取部
２０  縦フレーム
２９  モータ
１７，１８  連結部材
２３  外面カバー
【図１】
2010198244.tif 000003
【図２】
2010198244.tif 000004
【図３】
2010198244.tif 000005
【図４】
2010198244.tif 000006
【図５】
2010198244.tif 000007
【図６】
2010198244.tif 000008
【図７】
2010198244.tif 000009
【図８】
2010198244.tif 000010
【図９】
2010198244.tif 000011
【図１０】
2010198244.tif 000012
【図１１】
2010198244.tif 000013
【図１２】
2010198244.tif 000014
【図１３】
2010198244.tif 000015